(57)【要約】【課題】閲覧中のページに対する思考を遮ることなく、容易に所望のページに到達することが可能な電子書籍表示装置を提供する。【解決手段】複数のページからなる書籍データに基づく画像を表示する表示部と、複数のページのうち表示部に表示させるページを指定する入力部と、入力部によって指定されたページおよび該ページの近傍に存在する各ページにおける少なくともグラフィック情報に関する属性に基づいて、表示部に表示させるページを選択し、選択したページの書籍データに基づく画像を表示部に表示させる制御部と、を有する。【選択図】図３
2011113438.tif 000002
【特許請求の範囲】
【請求項１】
複数のページからなる書籍データに基づく画像を表示する表示部と、
前記複数のページのうち前記表示部に表示させるページを指定する入力部と、
前記入力部によって指定されたページおよび該ページの近傍に存在する各ページにおける少なくともグラフィック情報に関する属性に基づいて、前記表示部に表示させるページを選択し、選択したページの書籍データに基づく画像を前記表示部に表示させる制御部と、を有することを特徴とする電子書籍表示装置。
【請求項２】
前記属性は、前記各ページに含まれる前記グラフィック情報による画像の個数、前記各ページの書籍データに基づく画像を前記表示部に表示させたときの該表示部の表示画面における前記グラフィック情報による画像の占有率、のうち少なくとも１つであることを特徴とする請求項１に記載の電子書籍表示装置。
【請求項３】
前記属性は、前記画像の個数、前記画像の占有率に重み付けして組み合わせた第１の評価値であることを特徴とする請求項２に記載の電子書籍表示装置。
【請求項４】
前記制御部は、前記入力部によって指定されたページおよび該ページの近傍に存在する各ページにおける前記グラフィック情報に関する属性および前記各ページの表示履歴に基づいて、前記表示部に表示させるページを選択することを特徴とする請求項１から３の何れか１項に記載の電子書籍表示装置。
【請求項５】
前記表示履歴は、前記各ページの過去の表示回数、前記各ページの過去に表示された時間を累積した表示時間、前記各ページの過去に表示された表示日時、のうち少なくとも１つであることを特徴とする請求項４に記載の電子書籍表示装置。
【請求項６】
前記表示履歴は、前記表示回数、前記表示時間、前記表示日時に重み付けして組み合わせた第２の評価値であることを特徴とする請求項５に記載の電子書籍表示装置。
【請求項７】
前記重み付けに用いる係数は、任意の値に設定することが可能であることを特徴とする請求項３または６に記載の電子書籍表示装置。
【発明の詳細な説明】
【技術分野】
【０００１】
本発明は、電子書籍表示装置に関し、特に文字や図等の書籍データに基づく内容を表示する電子書籍表示装置に関する。
【背景技術】
【０００２】
近年、液晶や有機ＥＬ、またメモリ性を有する所謂電子ペーパと称される表示媒体等に代表される表示素子や表示技術の進展に伴い、書籍に含まれる文字や図形等を電子化した書籍データに基づく画像を表示素子に表示する所謂電子ブックと称される電子書籍表示装置が提案されている。
【０００３】
このような電子ブックでは、ページを選択する方法として、表示画面上の所定領域に所望のページ番号を入力し、入力したページ番号に対応するページの書籍データを表示させる方法や、表示画面上の端部に総ページ量を示すインジケータを設け、インジケータに表示されているページ位置を示すカーソルを移動させ、停止させた位置のページ番号に対応するページの書籍データを表示させる方法が知られている。
【０００４】
ところで、このような電子ブックにおいて、例えば、過去に閲覧したページを再度表示させたいが、そのページ番号をはっきりと覚えていない場合、徒にページ番号を選択して表示させても、所望のページに辿り着くのは容易ではない。
【０００５】
そこで、特許文献１では、過去に閲覧したことのあるページを再度表示させたい場合、そのページ位置の凡その見当をつけることができるように、ページ位置が指定されると、指定された位置の近傍に存在する各ページの過去の表示回数、表示時間等の表示履歴に重み付けをした評価値に基づいて、表示するページを決定し、決定したページの書籍データに基づく画像を表示する方法が提案されている。
【先行技術文献】
【特許文献】
【０００６】
【特許文献１】特開２０００−３５３１７０号公報
【発明の概要】
【発明が解決しようとする課題】
【０００７】
しかしながら、特許文献１に記載されている方法においては、表示履歴に重み付けをした評価値に基づいて決定され表示されたページが、例えば文字情報で埋め尽くされていた場合、ユーザーは、その内容を直感的に容易に把握することができず、過去の記憶を辿りながらその内容を掴むことに注力することになる。その結果、今までの思考や、これから進めようとしている思考の妨げとなり本来の思考の流れが途切れてしまうといった問題がある。
【０００８】
本発明は、上記課題を鑑みてなされたもので、閲覧中のページに対する思考を遮ることなく、容易に所望のページに到達することが可能な電子書籍表示装置を提供することを目的とする。
【課題を解決するための手段】
【０００９】
上記目的は、下記の１から７の何れか１項に記載の発明によって達成される。
【００１０】
１．複数のページからなる書籍データに基づく画像を表示する表示部と、
前記複数のページのうち前記表示部に表示させるページを指定する入力部と、
前記入力部によって指定されたページおよび該ページの近傍に存在する各ページにおける少なくともグラフィック情報に関する属性に基づいて、前記表示部に表示させるページを選択し、選択したページの書籍データに基づく画像を前記表示部に表示させる制御部と、を有することを特徴とする電子書籍表示装置。
【００１１】
２．前記属性は、前記各ページに含まれる前記グラフィック情報による画像の個数、前記各ページの書籍データに基づく画像を前記表示部に表示させたときの該表示部の表示画面における前記グラフィック情報による画像の占有率、のうち少なくとも１つであることを特徴とする前記１に記載の電子書籍表示装置。
【００１２】
３．前記属性は、前記画像の個数、前記画像の占有率に重み付けして組み合わせた第１の評価値であることを特徴とする前記２に記載の電子書籍表示装置。
【００１３】
４．前記制御部は、前記入力部によって指定されたページおよび該ページの近傍に存在する各ページにおける前記グラフィック情報に関する属性および前記各ページの表示履歴に基づいて、前記表示部に表示させるページを選択することを特徴とする前記１から３の何れか１項に記載の電子書籍表示装置。
【００１４】
５．前記表示履歴は、前記各ページの過去の表示回数、前記各ページの過去に表示された時間を累積した表示時間、前記各ページの過去に表示された表示日時、のうち少なくとも１つであることを特徴とする前記４に記載の電子書籍表示装置。
【００１５】
６．前記表示履歴は、前記表示回数、前記表示時間、前記表示日時に重み付けして組み合わせた第２の評価値であることを特徴とする前記５に記載の電子書籍表示装置。
【００１６】
７．前記重み付けに用いる係数は、任意の値に設定することが可能であることを特徴とする前記３または６に記載の電子書籍表示装置。
【発明の効果】
【００１７】
本発明によれば、入力部によって指定されたページおよび該ページの近傍に存在する各ページにおける少なくともグラフィック情報に関する属性に基づいて、表示部に表示させるページを選択し、選択したページの書籍データに基づく画像を表示部に表示させるようにした。
【００１８】
これにより、表示させたい所望のページ位置の凡その見当をつける為に、表示させるページを図や写真、表等のグラフィック情報を含むページとすることができるので、ユーザーは、その内容を直感的に容易に把握することができる。その結果、閲覧中のページに対する今までの思考や、これから進めようとしている思考を妨げることなく本来の思考の流れを維持しながら容易に所望のページに到達することが可能となる。
【図面の簡単な説明】
【００１９】
【図１】本発明の実施形態における電子ブックの外観を示す正面図である。
【図２】本発明の実施形態における電子ブックの概略構成を示すブロック図である。
【図３】表示情報とそのページ情報の一例を示す模式図である。
【図４】ページ選択・表示動作の流れを示すフローチャートである。
【図５】選択されたページの表示例を示す模式図である。
【発明を実施するための形態】
【００２０】
以下図面に基づいて、本発明の電子書籍表示装置の代表的な実施の形態である電子ブックを説明する。尚、本発明は該実施の形態に限られない。
【００２１】
本発明の実施形態における電子ブックの外観を図１を用いて説明する。図１は、本発明の実施形態における電子ブック１の外観を示す正面図である。
【００２２】
電子ブック１の正面には、図１に示すように、ＬＣＤや有機ＥＬ、またはメモリ性を有する所謂電子ペーパと称される表示媒体等から構成される表示部１０１、電子書籍の総ページ量を示すインジケータ１０４、インジケータ１０４の前面に設けられたタッチパネル１０６、タッチパネル１０６上で表示させるページを指定するタッチペン１０、表示部１０１に表示される画像のページ送り、ページ戻しをそれぞれ行うページ送りキー１１５ａ、ページ戻しキー１１５ｂ、及び図示しない電源スイッチや各種操作スイッチ等が設けられている。また、インジケータ１０４には、ページ全体に対する現在表示されているページの位置を示すカーソル１０４ａが表示されている。
【００２３】
電子ブック１は、図示しないメモリカードに格納されている書籍データや通信ネットワークを介して外部のサーバや情報端末等から受信した書籍データに基づく画像を表示部１０１に表示する電子書籍表示装置である。
【００２４】
電子ブック１の構成を図２を用いて説明する。図２は、電子ブック１の概略構成を示すブロック図である。
【００２５】
電子ブック１は、図２に示すように、表示部１０１、表示制御部１０２、ＶＲＡＭ１０３、インジケータ１０４、インジケータコントローラ１０５、タッチパネル１０６、タッチパネルコントローラ１０７、ＣＰＵ１１１、ＲＯＭ１１２、ＲＡＭ１１３、外部ＩＦ１１４、及びページ送りキー１１５ａ、ページ戻しキー１１５ｂ、図示しない電源スイッチや各種操作スイッチ等を有する操作部１１５等から構成される。
【００２６】
表示部１０１は、ＬＣＤや有機ＥＬ、またはメモリ性を有する所謂電子ペーパと称される表示媒体等から構成される。表示部１０１は、図示しないメモリカードに格納されている書籍データや通信ネットワークを介して外部のサーバや情報端末等から受信した書籍データ等に基づく画像を表示する。
【００２７】
表示制御部１０２は、表示部１０１で行われる表示動作を制御する。
【００２８】
ＶＲＡＭ（Ｖｉｄｅｏ  ＲＡＭ）１０３は、表示部１０１の画素数に対応した画像データの記録容量を有し、表示部１０１に表示される画像を構成する画像データのバッファメモリである。
【００２９】
インジケータ１０４は、電子書籍の総ページ量を表示する。インジケータ１０４には、ページ全体に対する現在表示されているページの位置を示すカーソル１０４ａが表示されている。
【００３０】
インジケータコントローラ１０５は、インジケータ１０４で行われる表示動作を制御する。
【００３１】
タッチパネル１０６は、インジケータ１０４の前面に設けられ、インジケータ１０４越しにタッチペン１０により表示させるページを指定操作する入力部である。
【００３２】
タッチパネルコントローラ１０７は、タッチパネル１０６からの入力の有無を監視し、タッチパネル１０４で行われる座標検出動作を制御する。また、タッチパネルコントローラ１０７は、電子ブック１が電力を殆ど消費しないスリープ状態においてもタッチパネル１０６からの入力の有無を監視することができる。
【００３３】
ＣＰＵ（中央演算処理装置）１１１は、本発明における制御部に該当し、タッチパネルコントローラ１０７や操作部１１５からの信号を受けて、表示動作や画像信号処理動作、及び図示しないメモリカード、外部のサーバ、情報端末等との間で行われる情報の送受信動作を統括的に制御する。
【００３４】
また、ＣＰＵ１１１は、図示しないメモリカードに格納されている書籍データや通信ネットワークを介して外部のサーバや情報端末等から受信した書籍データ等に基づき画像データを生成し表示制御部１０２を介して表示部１０１に出力する。
【００３５】
また、ＣＰＵ１１１は、タッチペン１０によりタッチパネル１０６を介して表示させるページが指定入力されると、指定されたページおよび該ページの近傍に存在する各ページにおけるグラフィック情報に関する属性、または、各ページにおけるグラフィック情報に関する属性および各ページの表示履歴に基づいて、表示部１０１に表示させるページを選択し、選択したページの書籍データに基づく画像を生成し表示制御部１０２を介して表示部１０１に出力する。尚、表示部１０１に表示させるページの選択・表示動作の詳細や属性および表示履歴の詳細は後述する、また、属性および表示履歴は、ＲＡＭ１１３に格納されている。
【００３６】
ＲＯＭ（Ｆｌａｓｈ  Ｒｅａｄ  Ｏｎｌｙ  Ｍｅｍｏｒｙ）１１２は、ＣＰＵ１１１で実行される各種制御プログラム等を格納する例えばＦｌａｓｈＲＯＭである。
【００３７】
ＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１１３は、演算処理や制御処理等の作業データを一時的に格納する例えばＳＤＲＡＭである。また、ＲＡＭ１１３には、電子書籍の各ページにおけるグラフィック情報に関する属性および各ページの表示履歴が格納されている。
【００３８】
外部ＩＦ１１４は、例えば、図示しないメモリカード等の外部メモリとのインターフェース、また、図示しない外部のサーバや情報端末等との間で情報を送受信するインターフェースである。尚、通信手段としては、ＢｌｕｅｔｏｏｔｈやワイヤレスＵＳＢ、また、赤外線等を用いた低消費電力型のデバイスが好適である。
【００３９】
操作部１１５は、ページ送りキー１１５ａ、ページ戻しキー１１５ｂ、図示しない電源スイッチや各種操作スイッチ等を有するスイッチ群である。
【００４０】
尚、図２中、破線で示す矢印は、ＣＰＵ１１１がスリープ状態の時に、タッチパネルコントローラ１０７や操作部１１５を介して起こされる制御経路を示す。
【００４１】
ここで、属性、表示履歴を図３を用いて説明する。図３は、表示部１０１に表示される表示情報５０と該表示情報５０に対応する属性や表示履歴であるページ情報６０の一例を示す模式図である。
【００４２】
属性としては、図３に示すように、電子書籍の各ページに含まれる図や写真、表等のグラフィック情報による画像の個数、各ページの書籍データに基づく画像を表示部１０１に表示させたときの該表示部１０１の表示画面における図や写真、表等のグラフィック情報による画像の占有率、各ページに含まれる文字の個数（コード数）等が挙げられる。
【００４３】
また、表示履歴としては、電子書籍の各ページの過去の表示回数、各ページの過去に表示された時間を累積した表示時間、各ページの過去に表示された表示日時等が挙げられる。尚、これらの表示履歴は、表示される毎にＣＰＵ１１１によって更新される。
【００４４】
ＣＰＵ１１１は、タッチペン１０によりタッチパネル１０６を介して表示させるページが指定入力されると、表示部１０１に表示させるページを選択する為、指定されたページおよび該ページの近傍に存在する各ページの属性に関する第１の評価値、表示履歴に関する第２の評価値をそれぞれ下記式（１）、式（２）により算出する。
【００４５】
第１の評価値＝（１／コード数）×ｘ＋画像の個数×ｙ＋画像の占有率×ｚ    （１）
ここで、ｘ、ｙ、ｚは、任意に設定することが可能な重み付け係数を示し、ユーザーは、優先したい項の係数が大きな値になるように設定することができる。
【００４６】
第２の評価値＝表示回数×ｐ＋表示時間×ｑ＋表示日時×ｒ      （２）
ここで、ｐ、ｑ、ｒは、任意に設定することが可能な重み付け係数を示し、ユーザーは、優先したい項の係数が大きな値になるように設定することができる。尚、表示日時と表示時間に関しては、表示日時が新しく、表示時間が長い程、値がおおきくなるようなＬＵＴを用意し、ＬＵＴにより重み付け係数を決定するようにしてもよい。
【００４７】
ＣＰＵ１１１は、このようにして算出した各ページの属性に関する第１の評価値、または属性に関する第１の評価値および表示履歴に関する第２の評価値に基づいて、表示部１０１に表示させるページを選択する。
【００４８】
具体的には、例えば、属性に関する第１の評価値に基づいて、表示部１０１に表示させるページを選択する場合、例えば、画像の占有率に重きを置いて係数ｘ、係数ｙ、係数ｚの値を設定しておくとする。ここで、ユーザーにより、インジケータ１０４に表示されているカーソル１０４ａの位置に対応するページＮが指定入力されると、ＣＰＵ１１１は、指定されたページＮに対して、例えば、前後３ページのページ（Ｎ−３）からページ（Ｎ＋３）の各ページの第１の評価値を算出し比較する。そして、この場合、画像の占有率の最も高いページ（Ｎ＋３）を選択する。このとき、表示部１０１に表示される画像を図５に示す。
【００４９】
尚、本実施形態においては、第１の評価値としては、コード数、画像の個数、画像の占有率の３つの項目を用いたが、これに限定されることなく、１つ、又は何れか２つの項目であってもよい。同様に、第２の評価値としては、表示回数、表示時間、表示日時の３つの項目を用いたが、これに限定されることなく、１つ、又は何れか２つの項目であってもよい。
【００５０】
ここで、属性に関する第１の評価値に基づいた表示部１０１に表示させるページの選択・表示動作の流れを図４を用いて説明する。図４は、ページ選択・表示動作の流れを示すフローチャートである。
【００５１】
最初に、タッチペン１０によりタッチパネル１０６を介して表示させるページＮを指定入力する（ステップＳ１）。
【００５２】
次に、ＣＰＵ１１１は、指定されたページＮに対して、前後３ページのページ（Ｎ−３）からページ（Ｎ＋３）の各ページの属性をＲＡＭ１１３から読み出す（ステップＳ２）。
【００５３】
続いて、ＣＰＵ１１１は、読み出した各ページの属性情報に基づき、各ページの第１の評価値を前述の式（１）により算出する（ステップＳ３）。尚、式（１）における重み付け係数ｘ、係数ｙ、係数ｚは、優先したい項の係数が大きな値になるように予め設定しておく。
【００５４】
次に、ＣＰＵ１１１は、算出した第１の評価値から最も大きな値を示すページを選択する（ステップＳ４）。
【００５５】
続いて、ＣＰＵ１１１は、選択したページの書籍データに基づく画像を生成し表示制御部１０２を介して表示部１０１に出力し、表示させる（ステップＳ５）。
【００５６】
次に、ＣＰＵ１１１は、表示時間が予め設定しておいた時間を経過したか否かを確認し、経過した場合（ステップＳ６；Ｙｅｓ）、次に表示させるページの有無を確認する。そして、次に表示させるページが有る場合（ステップＳ７；Ｙｅｓ）、第１の評価値が２番目に高いページを指定する（ステップＳ８）。その後、ステップＳ５〜ステップＳ８の動作を繰返し、ページ（Ｎ−３）からページ（Ｎ＋３）の各ページをその第１の評価値の高いものから順次表示させる。
【００５７】
一方、ステップＳ５において、選択されたページが表示されている間に（ステップＳ６；Ｎｏ）、ユーザーが表示されているページより所望のページの位置を察した場合、ページ送りキー１１５ａまたはページ戻しキー１１５ｂを操作し、キー操作に対応する次ページまたは前ページを指定する（ステップＳ１０）。表示させる（ステップＳ１１）。
【００５８】
尚、前述の図４に示したページ選択・表示動作の流れを示すフローチャートは、属性に関する第１の評価値に基づいたものであるが、属性に関する第１の評価値および表示履歴に関する第２の評価値に基づいた場合も、図４に示したフローチャートと同様にしてページ選択・表示動作を行うことができる。図４におけるステップＳ２で属性情報および表示履歴情報を取得し、ステップＳ３で取得した属性情報および表示履歴情報に基づいて第１の評価値および第２の評価値を算出し、ステップＳ４で算出した第１の評価値および第２の評価値に基づいて表示部１０１に表示させるページを選択すればよい。この場合、第１の評価値および第２の評価値に基づいてページを選択するので、より高い確度で所望のページに近いページを選択することができる。
【００５９】
このように本発明の実施形態における電子ブック１においては、タッチペン１０によりタッチパネル１０６を介してページが指定入力されると、指定されたページそのものを表示させるのではなく、指定されたページおよび該ページの近傍に存在する各ページにおける少なくともグラフィック情報に関する属性に基づいて、表示部１０１に表示させるページを選択し、選択したページの書籍データに基づく画像を表示部１０１に表示させるようにした。
【００６０】
これにより、表示させたい所望のページ位置の凡その見当をつける為に、表示させるページを図や写真、表等のグラフィック情報を含むページとすることができるので、ユーザーは、その内容を直感的に容易に把握することができる。その結果、閲覧中のページに対する今までの思考や、これから進めようとしている思考を妨げることなく本来の思考の流れを維持しながら容易に所望のページに到達することが可能となる。
【符号の説明】
【００６１】
１  電子ブック
１０  タッチペン
１０１  表示部
１０２  表示制御部
１０３  ＶＲＡＭ
１０４  インジケータ
１０４ａ  カーソル
１０５  インジケータコントローラ
１０６  タッチパネル
１０７  タッチパネルコントローラ
１１１  ＣＰＵ
１１２  ＲＯＭ
１１３  ＲＡＭ
１１４  外部ＩＦ
１１５  操作部
１１５ａ  ページ送りキー
１１５ｂ  ページ戻しキー
５０  表示情報
６０  ページ情報
【図１】
2011113438.tif 000003
【図２】
2011113438.tif 000004
【図３】
2011113438.tif 000005
【図４】
2011113438.tif 000006
【図５】
2011113438.tif 000007